(57)【要約】      （修正有）【課題】デジタルＡＶケーブル構造に関し、特に、高解析マルチメディアインターフェイスと電気接続し、接続構造方式により起こる高周波ＡＶ信号の減衰を回避し、ユニットが必要とする長さに延長可能なケーブル構造であり、静電容量値の低減、低減衰率、品質安定性、信頼性を有するデジタルＡＶケーブル構造を提供する。【解決手段】ケーブル内部に複数の高周波伝送ケーブル１１と低周波伝送ケーブル２からなり、高周波伝送ケーブル組が２組以上の同一方向に等しい長さを延伸し、且つ平行に配列した２つの高周波伝送ケーブルから構成され、２つの高周波伝送ケーブル外部に絶縁層１１１及び２つの遮蔽層１１２を被覆した後、複数の低周波伝送ケーブルを終結してケーブル束３とし、ケーブル束外部にアルミ箔層４、編組層５、保護層６を被覆し、２つの高周波伝送ケーブルが等しい長さで平行に配列する構造とする。【選択図】図２
0003145818.tif 000002
【実用新案登録請求の範囲】
【請求項１】
高解析マルチメディアインターフェイスと電機接続し、連結構造方式で生じる高周波ＡＶ信号の減衰、延長単位が長さを必要とするケーブル構造を回避し、その内部に、複数の高周波伝送ケーブル組と低周波伝送ケーブルを含み、高周波伝送ケーブル組が少なくとも２組の同一方向に等しい長さに延伸し且つ平行に配列される２つの高周波伝送ケーブル及び接地ケーブルから構成され、２つの高周波伝送ケーブル外部に絶縁層を被覆し、更に、複数の低周波伝送ケーブルと終結してケーブル束としてなり、ケーブル束外部をアルミ箔層、編組層、保護層が覆い、遮蔽層により電磁波、静電等のノイズ干渉を隔離するデジタルＡＶケーブル構造。
【請求項２】
前記複数の高周波伝送ケーブルは、銅被覆鋼線の線材である請求項１記載のデジタルＡＶケーブル構造。
【請求項３】
前記複数の高周波伝送ケーブルは、鍍銀銅被覆鋼線の線材である請求項１記載のデジタルＡＶケーブル構造。
【請求項４】
前記複数の接地ケーブルは、鍍錫銅線、真鍮線又はその他フレキシブルな線材である請求項１記載のデジタルＡＶケーブル構造。
【請求項５】
前記複数の低周波伝送ケーブルは、鍍錫銅線、真鍮線又はその他フレキシブルな線材である請求項１記載のデジタルＡＶケーブル構造。
【請求項６】
前記絶縁槽が熱可塑性弾性体（ＴＰＥ）またはポリエチレン（ＰＥ）の絶縁材質である請求項１記載のデジタルＡＶケーブル構造。
【請求項７】
前記２つの高周波伝送ケーブル外部に静電容量値を低減する複数の遮蔽層を被覆でき、２つの遮蔽層の間の２つの高周波伝送ケーブル中央隔絶箇所に接近する接地ケーブルを設ける請求項１記載のデジタルＡＶケーブル構造。
【請求項８】
前記遮蔽層が透明状マイラー片または綿質紙材から形成され、各高周波伝送ケーブル、接地ケーブル外部を被覆し良好な遮蔽及び隔離を形成する請求項７記載のデジタルＡＶケーブル構造。
【請求項９】
前記編組層は、真鍮線、鍍銀銅線又はその他金属材質を巻き付け、編組して構成される請求項１記載のデジタルＡＶケーブル構造。
【請求項１０】
前記保護層は、ポリ塩化ビニル（ＰＶＣ）、ポリエステル（ＰＥ）、ポリエチレンテレフタレート（ＰＥＴ）またはポリプロピレン（ＰＰ）等の材質であることができる請求項１記載のデジタルＡＶケーブル構造。
【考案の詳細な説明】
【技術分野】
【０００１】
本考案は、デジタルＡＶケーブル構造に関し、特に、高解析マルチメディアインターフェイスと電気接続し、接続構造方式により起こる高周波ＡＶ信号の減衰を回避し、ユニットが必要とする長さに延長可能なケーブル構造であり、静電容量値の低減、低減衰率、品質安定性、信頼性を有するデジタルＡＶケーブル構造に関する。
【背景技術】
【０００２】
昨今、情報科学技術、デジタルマルチメディアＡＶ技術の急速な発展に伴い、人類の生活方式が変わっただけではなく、更に、多くのハイテクな電子製品が、人々の衣、食、住、交通、娯楽等の各種方面に提供され、例えば、ＡＶ光ディスク、デジタル多機能光ディスク、高解析度デジタルテレビ、ＡＶ電話および視聴覚会議等であり、従来の技術と比べ、これらの新系統の構造の特長は、完全にデジタル化した方式で音声及び映像データを処理し、多様な応用分野の要求に従い、ＡＶ信号伝送に関する標準は、応用分野の要求に従い、関連ＡＶ信号伝送の標準も絶え間なく制定、修正、更新され、目的は、デジタルＡＶ信号の同期高速伝送を達成し、且つ圧縮を経ずに高解析力で遠距離信号減衰率が低い最適化効果を有し、使用者に安定したデジタルＡＶ品質を享受させ、視角画面も更にリアルにすることである。
【０００３】
しかしながら、上記の多様な応用分野の要求を満たすため、業者は、エイチディーエムアイ（High-Definition Multimedia Interface；ＨＤＭＩ）を展開し、ＨＤＭＩコネクタを介して信号伝送ケーブルをアダプタ、セットトップボックス、ＤＶＤプレーヤー、テレビゲーム機、デジタルテレビまたはパソコンのディスプレイスクリーン、総合アンプリファ及びデジタル音響等に接続した後、デジタル化伝送によりＡＶ信号表示再生の効果を供することができる。更に、信号伝送ケーブルは、円形または平型ケーブル内部に多種の異なる信号伝送ケーブルを集結してなり、映像伝送ケーブル、音声伝送ケーブル、接地線等であり、これらの伝送ケーブル全てを１つの束状にし、且つ各伝送ケーブル間の相互に発生する電磁波干渉、静電等のノイズの影響を防止するため、集結するケーブル束の外部は、順に、錫箔、編組層および絶縁層を被覆し、線材の隔離被覆を完成する。
【特許文献１】特開２００８−１０３１７９号公報
【考案の開示】
【考案が解決しようとする課題】
【０００４】
図５は、従来のケーブル構造aの説明図であり、内部に少なくとも２組の連続して交互に連結し螺旋状に排列されるツイストペアケーブル（twisted pair）bを有し、ツイストペアケーブルとHDMIコネクタプラグ内の端子溶接端に溶接を行う時、本体の構造、材質の制限により、下記の欠陥を有する：
１．上記ケーブル線内部に多くの異なる高周波ＡＶ信号の伝送に用いるツイストペアケーブルを集結し、ケーブルの使用の長さを延長する時、その内部のツイストペアケーブルは、静電容量値が増加する状況が発生し易く、延長距離が長くなるほど、静電容量値の増加が大きくなり、直接的な影響を及ぼし、ケーブルの高周波ＡＶ信号伝送時の安定性に障害となり、長距離のＡＶ伝送効果の不良、品質の不安定を起こし、外部の信号による干渉を受け易くなる。
２．上記ケーブル内部のツイストペアケーブルは、連続して交互に連結し螺旋状の排列を形成し、良好な抗張力強度を有することができ、ケーブル配線または不当な外力を受け引き伸ばされる時、ツイストペアケーブルは、断面積の伸縮変化によりノイズ干渉が発生し、良好な機械性能の構造方式を有していても、ツイストペアケーブルが接合を行い、対応して伝送ケーブルの長さを延長することで各伝送ケーブルの平均寸法の一致性を確保することが困難となり、高周波ＡＶ信号伝送時の減衰率を増加させ、品質安定性も良好ではなくなる。
３．上記ケーブル内部のツイストペアケーブルが回路板の接点に位置合わせし溶接を行う時、先ず、ツイストペアケーブルの外部に露出し結合して１つになった部分をまっすぐに伸ばし、伸張した後、始めてＨＤＭＩコネクタプラグ内の端子と溶接して電気接続を形成することができ、溶接過程中、位置合わせが容易ではなく、加工プロセスにおいて、相当煩雑であり、且つ困難度も高いという問題が発生し、全体の材料及び生産コストが高くなり、経済利益の考慮に適合しない。
【０００５】
従って、従来のケーブル構造の使用する長さの増加により起こる静電容量値の増大およびツイストペアケーブル構造方式が発生する高周波ＡＶ信号の減衰率の増加、品質安定性の不良、溶接時の位置合わせが容易ではない等の問題及び欠陥を如何に解決するかは、当業者が研究改善を欲するところである。
【課題を解決するための手段】
【０００６】
本考案は、ケーブル内部の高周波伝送ケーブル組が少なくとも２組以上の同一方向に等しい長さを延伸し、且つ平行に配列した２つの高周波伝送ケーブルから構成され、接合構造方式で生じる伝送ケーブルが単位長さの延長を必要とし、全体の材料のコストを増加させることを回避し、溶接時に回路板上の接点を直接溶接し、位置合わせが容易であり、精度が高く、且つ加工プロセスを簡易化し、溶接時の困難度を低減し、生産上のコストを節減することである。また、高周波伝送ケーブルは、銅被覆鋼線材質を包んで形成され、好適な抗張力強度、フレキシブル性等の機械性能を有し、ケーブルの配線または不当な外力を受けて引き伸ばされる時、断面積の伸縮変化により想定外のノイズ干渉が発生するのを防止することができ、鍍銀銅被覆鋼線で形成し、その表面の伝送速度を増加することもでき、更に長距離高周波ＡＶ信号の伝送を達成し、減衰率が低く、品質安定性、信頼性が良好であることができる。
【０００７】
すなわち、請求項１の考案は、高解析マルチメディアインターフェイスと電機接続し、連結構造方式で生じる高周波ＡＶ信号の減衰、延長単位が長さを必要とするケーブル構造を回避し、その内部に、複数の高周波伝送ケーブル組と低周波伝送ケーブルを含み、高周波伝送ケーブル組が少なくとも２組の同一方向に等しい長さを延伸し且つ平行に配列される２つの高周波伝送ケーブル及び接地ケーブルから構成され、２つの高周波伝送ケーブル外部に絶縁層を被覆し、更に、複数の低周波伝送ケーブルと終結してケーブル束としてなり、ケーブル束外部をアルミ箔層、編組層、保護層が覆い、遮蔽層により電磁波、静電等のノイズ干渉を隔離するデジタルＡＶケーブル構造である。
【０００８】
請求項２の考案は、前記複数の高周波伝送ケーブルは、銅被覆鋼線(Copper Covered Steel Wire)の線材である請求項1記載のデジタルＡＶケーブル構造である。
請求項３の考案は、前記複数の高周波伝送ケーブルは、鍍銀銅被覆鋼線(Silver-Coated Copper Clad Steel Wire)の線材である請求項１記載のデジタルＡＶケーブル構造である。
請求項４の考案は、前記複数の接地ケーブルは、鍍錫銅線(Tinned Copper Wire)、真鍮線(Brass Wire)またはその他フレキシブルな線材である請求項１記載のデジタルＡＶケーブル構造である。
請求項５の考案は、前記複数の低周波伝送ケーブルは、鍍錫銅線(Tinned Copper Wire)、真鍮線(Brass Wire)又はその他フレキシブルな線材である請求項１記載のデジタルＡＶケーブル構造である。
請求項６の考案は、前記絶縁槽が熱可塑性弾性体（ＴＰＥ）またはポリエチレン（ＰＥ）の絶縁材質である請求項１記載のデジタルＡＶケーブル構造である。
請求項７の考案は、前記２つの高周波伝送ケーブル外部に静電容量値を低減する複数の遮蔽層を被覆でき、２つの遮蔽層の間の２つの高周波伝送ケーブル中央隔絶箇所に接近する接地ケーブルを設ける請求項１記載のデジタルＡＶケーブル構造である。
請求項８の考案は、前記遮蔽層が透明状マイラー片（Mylar、樹脂薄膜-PET材質）または綿質紙材から形成され、各高周波伝送ケーブル、接地ケーブル外部を被覆し良好な遮蔽及び隔離を形成する請求項７記載のデジタルＡＶケーブル構造である。
請求項９の考案は、前記編組層は、真鍮線(Brass Wire)、鍍銀銅線(Silver-Plate Wire)またはその他金属材質を巻き付け、編組して構成される請求項1記載のデジタルＡＶケーブル構造である。
請求項１０の考案は、前記保護層は、ポリ塩化ビニル（ＰＶＣ）、ポリエステル（ＰＥ）、ポリエチレンテレフタレート（ＰＥＴ）またはポリプロピレン（ＰＰ）等の材質であることができる請求項1記載のデジタルＡＶケーブル構造である。
【考案の効果】
【０００９】
本考案によれば、以下の効果を奏する。
１．本考案のケーブル７の高周波伝送ケーブル組１は、少なくとも２組以上の同一方向に等しい長さ延伸し且つ平行に配列される２つの高周波伝送ケーブル１１からなり、連結構造方式で生じる伝送ケーブルが必要とする単位長さの延長、全体の材料のコストの増加を回避することができ、溶接時回路板上の接点と直接溶接でき、位置合わせが容易であるだけではなく、精度が高く且つ加工プロセスを簡易化し、溶接時の困難度を低減し、生産上のコストを節減する。
２．本考案の高周波伝送ケーブル１１は、銅被覆鋼線材質から形成され、好適な抗張力強度、フレキシブル性等の機械性能を有し、ケーブル７の配線または不当な外力を受けた時の断面積の伸縮変化により想定外のノイズ干渉が発生することを防止する。鍍銀銅被覆鋼線を介して、その表面の伝送速度を増加し、長距離の高周波ＡＶ信号伝送を行うことができ、低減衰率、品質安定性を有し、信頼性が良好である。
３．ケーブル７の使用長さを延長する必要がある時（例えば、２０ｍ以上）、その内部の遮蔽層１１２が高周波伝送ケーブル１１、接地ケーブル１２外部を被覆し、良好な遮蔽及び隔離を形成し、距離が接近することで生じる相互の電波干渉を回避し、且つ距離使用時、静電容量値の増加が容易に発生することなく、顕著に急上昇する欠点が発生せず、ケーブル束３外部を順に覆うアルミ箔層４、編組層５及び保護層６を介して、ケーブル７の高周波ＡＶ信号伝送時の安定性を向上させ、同時に遮蔽効果の強化を達成することができる。
【考案を実施するための最良の形態】
【００１０】
上記の目的及び効果を達成するため、本考案が採用する構造の技術的特徴及びその効果を理解し易くするため、図面及び本考案の実施例と合わせて以下にその特徴および機能を説明する。
【００１１】
図１、図２、図３は、それぞれ本考案の実施例の立体外観図及び前面断面図および局部立体外観図であり、図から分かるように、本考案の実施例は、複数の高周波数伝送ケーブル１と低周波伝送ケーブル２から組成され、主要構造及び詳細は、後に記載するようであり、そのうち、
該複数の高周波伝送ケーブル１は、少なくとも２組以上の同一方向に等しい長さを延伸し、且つ平行に配列される２つの高周波伝送ケーブル１１と接地ケーブル１２から構成され、２つの高周波伝送ケーブル１１外部に順に絶縁層１１１及び２つの遮蔽層１１２を被覆し、且つ２つの遮蔽層１１２の間の２つの高周波伝送ケーブル１１中央区分箇所付近に接地ケーブル１２を設け、複数の低周波伝送ケーブル２、充填料等を終結しケーブル束３とし、各線材表面に異なる色を利用し、区別、マークを行い、使用者がケーブル束３中に迅速に区別、使用できるようにし、ケーブル束３外部に順にアルミ箔層４、編組層５を被覆し、最後に編組層５外部に保護層６を被覆し、本考案のケーブル７全体の成型作業を完成する。
【００１２】
本考案の実施例のケーブル７は、高解析マルチメディアインターフェイス（High-Definition Multimedia Interface；ＨＤＭＩ）コネクタ８上に応用して高周波数ＡＶ信号を伝送することを使用例とするが、実際の応用時は、ＨＤＭＩコネクタ８に用いることに限らず、表示ポート（Display  Port）、デジタル視覚インターフェイス（Digital  Visual  Interface；ＤＶＩ）等に使用することもできる。高周波伝送ケーブル組１の高周波伝送ケーブル１１は、鍍銀銅被覆鋼線（Silver-Coated  Copper  Clad  Steel  Wire）、銅被覆鋼線（Copper  Covered  Steel  Wire）またはその他の高抗張力で、伝送速度が高い線材であることができ、且つ複数の接地ケーブル１２、低周波伝送ケーブル２は、鍍錫銅線（Tinned  Copper  Wire）、真鍮線（Brass  Wire）またはその他のフレキシブルな線材であることができる。また、絶縁層１１１も、熱可塑性弾性体（ＴＰＥ）またはポリエチレン（ＰＥ）の絶縁材質から形成されることができ、薄く、軽い遮蔽層１１２は、透明状のマイラー片（Mylar、樹脂薄膜-ＰＥＴ材質）または綿質紙材から製成され、各高周波伝送ケーブル１１、接地ケーブル１２外部を被覆し、良好な遮蔽及び隔離を形成することができ、このように、距離が接近することで生じる相互電磁干渉を効率的に回避することができる。また、ケーブル束３外部をアルミ箔層４で被覆した後、真鍮線（Brass  Wire）、鍍銀銅線（Silver-Plata  Wire）またはその他の金属材料を巻き付け、編組し、編組層５を構成し、また、保護層６は、ポリ塩化ビニル（ＰＶＣ）、ポリエステル（ＰＥ）、ポリエチレンテレフタレート（ＰＥＴ）またはポリプロピレン（ＰＰ）等の材質であることができる。なお、本考案の明細書及びその図面内容を用いた簡易な修飾及び同等効果を成す構造の変化は、何れも本考案の専利範囲内である。
【００１３】
本考案の実施例のケーブル７は、ＨＤＭＩコネクタ８プラグと溶接作業する前、先ず保護層６、編組層５およびアルミ箔層４を迅速に切除し、各高周波伝送ケーブル組１外部に順に被覆している絶縁層１１１、遮蔽層１１２を剥離し、ケーブル束３内部の高周波伝送ケーブル１１、接地ケーブル１２および低周波伝送ケーブル２をそれぞれ取り出すことができ、ケーブル７のピン位置定義に基づき、高解析マルチメディアインターフェイス（High-Definition Multimedia Interface；ＨＤＭＩ）と電機接続し、ＨＤＭＩコネクタ８の突合せ接合部８１が相互に対応する端子溶接端８１１上に溶接固定させることができ、ＨＤＭＩコネクタ８の突合せ接合部８１を介してアダプタ、セットトップボックス、ＤＶＤプレーヤー、テレビゲーム機、デジタルテレビ、またはパソコンのディスプレイスクリーン、総合アンプおよびデジタル音響等の電子設備に挿入した後、本考案のケーブル７を介してＨＤＭＩ高周波ＡＶ信号伝送しディスプレイ再生の効果を強化することができる。
【００１４】
図２、図３、図４は、それぞれ本考案の実施例の前面断面図、局部立体外観図および好適実施例の立体外観図であり、図から分かるように、ＨＤＭＩコネクタ８の一側の突合せ接合部８１は外部電子設備と電気接続するためであり（図示せず）、突合せ接合部８１内部に貫通設置される複数の端子溶接端８１１によってそれぞれケーブル７の複数の高周波伝送ケーブル１１、接地ケーブル１２および低周波伝送ケーブル２と位置合わせし、溶接され電気接続を形成し、本考案の全体の構成配置を完成する。
【００１５】
ケーブル７の使用長さを延長する必要がある時（例えば、２０ｍ以上）、その内部の遮蔽層１１２が高周波伝送ケーブル１１、接地ケーブル１２外部を被覆し、良好な遮蔽及び隔離を形成し、距離が接近することで生じる相互の電波干渉を回避し、且つ距離使用時、静電容量値の増加が容易に発生することなく、顕著に急上昇する欠点が発生せず、ケーブル束３外部を順に覆うアルミ箔層４、編組層５及び保護層６を介して、ケーブル７の高周波ＡＶ信号伝送時の安定性を向上させ、同時に遮蔽効果の強化を達成することができる。
【００１６】
また、一方で、従来のケーブル内部のツイストペアケーブル構造の方式は、往々にして連結後、長さ上の差異によって、平均寸法を確保し、一致性を達成することが困難であり、伝送ケーブルの延長に単位長さが必要であり、溶接を行う時、連結して１つになる部分を予め引き伸ばした後、始めて回路板上の接点に溶接でき、位置合わせが容易ではなく、加工プロセスが困難であり、全体の材料及び生産上のコストが高くなる問題と欠点を発生するので、考案者は、従来のケーブル内部のツイストペアケーブル連結構造が依然として改善の余地をすることに鑑み、この種のケーブル７の高周波伝送ケーブル組１が少なくとも２組以上の同一方向に等しい長さ延伸し且つ平行に配列される２つの高周波伝送ケーブル１１であり、連結構造方式が起こす、伝送ケーブルが必要な単位長さを延長し、全体の材料のコストを大幅に増加させず、溶接時、剥離後のケーブル束３内部の高周波伝送ケーブル１１、接地ケーブル１２および低周波伝送ケーブル２等をそれぞれ取り出し、回路板上の接点と溶接し、位置合わせが容易であるだけでなく、精度が高く且つ工程を簡易化させることができ、溶接時の困難度を低減し、生産コストを節約することができる。
【００１７】
同時に、考案者は、多方面の評価及び考慮を経て、ケーブル７の長さが等しく且つ平行に排列される２つの高周波伝送ケーブル１１が配線または不当な外力を受け引き伸ばされる時に断面積の伸縮、変化が生じ、想定外のノイズ干渉が発生することを防止するため、並びに線材自身の材質の特性が鍵であることを考慮し、高周波伝送ケーブル１１を銅被覆鋼線（Copper Covered Steel wire）材質から形成し、好適な抗張力強度、フレキシブル性等の機械性能を有し、上記の発生する関連問題を解決する。更に、高周波ＡＶ信号伝送時、外部の信号の干渉を受け易く、通常ケーブル７の信号入力端箇所にフィルターモジュールを設置し、不要な電磁波、静電等のノイズ干渉をフィルタリングするが、線材材質自身の品質が悪く、且つ抵抗、減衰率が大きい場合、外部でノイズのフィルタリングを行う効果は顕著ではなく、信号伝送時の速度にも影響を及ぼし、特に高周波信号領域方面において使用する場合は顕著であるので、本考案の高周波伝送ケーブル１１は、鍍銀銅被覆鋼線（Silver Coated Copper Clad Steel wire）を介して、その表面の伝送速度を増加し、長距離の高周波ＡＶ信号伝送を行うことができ、低減衰率、品質安定性を有し、信頼性が良好である。
【００１８】
本考案の特徴は、ケーブル７内部が少なくとも2組以上の高周波伝送ケーブル組１を有し、好適には、4組の高周波伝送ケーブル組１をＨＤＭＩコネクタ８上に応用し、高周波ＡＶ信号伝送に使用し、同一方向に等しい長さ延伸し且つ平行に排列される２つの高周波伝送ケーブル１１から構成され、且つ高周波伝送ケーブル１１は、鍍銀銅被覆鋼線、銅被覆鋼線の線材であることができ、このように、高周波伝送ケーブル１１の長さが等しく且つ平行に排列する構造設計によって、従来のケーブル構造の連結構造方式により生じる平均寸法の一致性を達成することが困難であり、全体の材料のコストが大幅に増加されるような欠陥の発生を回避し、良好な抗張力強度、フレキシブル性等の機械性能を有し、且つ良好な遮蔽及び隔離を形成し、長距離高周波ＡＶ信号の伝送を行うことができ、静電容量値、減衰率を低減し、品質安定性、信頼性が良好であることである。
【００１９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２０】
【図１】本考案の立体外観図である。
【図２】本考案の前面断面図である。
【図３】本考案の局部立体外観図である。
【図４】本考案の実施例の立体外観図である。
【図５】従来のケーブルの構造説明図である。
【符号の説明】
【００２１】
１  高周波伝送ケーブル組
１１  高周波伝送ケーブル
１１１  絶縁層
１１２  遮蔽層
１２  接地ケーブル
２  低周波伝送ケーブル
３  ケーブル束
４  アルミ箔層
５  編組層
６  保護層
７  ケーブル
８  コネクタ
８１  突合せ接合部
８１１  端子溶接端
【図１】
0003145818.tif 000003
【図２】
0003145818.tif 000004
【図３】
0003145818.tif 000005
【図４】
0003145818.tif 000006
【図５】
0003145818.tif 000007